(57)【要約】【課題】高い光演出効果を発揮するパチンコ機を提供する。【解決手段】パチンコ機は、遊技媒体が流下可能な遊技領域が表面に形成され、透光性を有する遊技盤と、遊技盤の後方に配置され、表面にデザインが付されて少なくとも部分的に透光性を有するデザインシートと、デザインシートの後方に配置された透明な導光板３２ａと、導光板３２ａの前面上に形成されて、導光板３２ａの透明度と異なる透明度を有するパターン３２ｂと、導光板３２ａの後方に配置される光拡散シート３２ｃと、光拡散シート３２ｃの後方に配置され、光拡散シート３２ｃに光を照射する後方光源３２ｈと、導光板３２ａの側面近傍に配置され、側面から導光板３２ａの内部に光を照射する側方光源３２ｋとを備える。【選択図】図２３
2013176454.tif 000002
【特許請求の範囲】
【請求項１】
遊技媒体が流下可能な遊技領域が表面に形成され、透光性を有する遊技盤と、
前記遊技盤の前方及び後方の少なくとも一方に配置され、表面にデザインが付されて少なくとも部分的に透光性を有するデザインシートと、
前記遊技盤及び前記デザインシートの後方に配置された透明な導光板と、
前記導光板の前面上に形成されて、前記導光板の透明度と異なる透明度を有するパターンと、
前記導光板の後方に配置される光拡散シートと、
前記光拡散シートの後方に配置され、前記光拡散シートに光を照射する後方光源と、
前記導光板の側面近傍に配置され、前記側面から前記導光板の内部に光を照射する側方光源と
を備えるパチンコ機。
【請求項２】
前記デザインシート及び前記導光板は、前後方向において前記デザインと前記パターンとが重なるように配置される
請求項１に記載のパチンコ機。
【請求項３】
前記導光板、前記光拡散シート、前記後方光源及び前記側方光源が収容される筐体
を更に備える請求項１又は２に記載のパチンコ機。
【発明の詳細な説明】
【技術分野】
【０００１】
パチンコ機に関する。
【背景技術】
【０００２】
パチンコ機等の遊技機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技球は、遊技領域上に配置された各種入賞口（入球口）に入賞したり、入賞せずにアウト口に導かれたりする。
【０００３】
光演出を行うパチンコ機として、透光性を有する樹脂製の遊技盤が用いられ、遊技盤の後方に、凹凸形状の反射部が後面に形成された導光板が配置され、導光板の周端面から導光板の内部に光を入射させて反射部によりその光を前方へ出射させることにより光演出を行うパチンコ機が提案されている（例えば、特許文献１参照）。
【先行技術文献】
【特許文献】
【０００４】
【特許文献１】特開２０１１−２４０００２号公報
【発明の概要】
【発明が解決しようとする課題】
【０００５】
しかしながら、近年、特許文献１に記載のパチンコ機より更に高い光演出効果を発揮するパチンコ機の提供が要求されている。
【０００６】
本発明は、上述の事情に鑑みて為されたもので、高い光演出効果を発揮するパチンコ機を提供することを例示的課題とする。
【課題を解決するための手段】
【０００７】
上記の課題を解決するために、本発明における例示的側面としてのパチンコ機は、遊技媒体が流下可能な遊技領域が表面に形成され、透光性を有する遊技盤と、遊技盤の前方及び後方の少なくとも一方に配置され、表面にデザインが付されて少なくとも部分的に透光性を有するデザインシートと、遊技盤及びデザインシートの後方に配置された透明な導光板と、導光板の前面上に形成されて、導光板の透明度と異なる透明度を有するパターンと、導光板の後方に配置される光拡散シートと、光拡散シートの後方に配置され、光拡散シートに光を照射する後方光源と、導光板の側面近傍に配置され、側面から導光板の内部に光を照射する側方光源とを備える。
【０００８】
本発明の更なる目的又はその他の特徴は、以下添付図面を参照して説明される好ましい実施の形態によって明らかにされるであろう。
【発明の効果】
【０００９】
高い光演出効果を発揮するパチンコ機を提供することができる。
【図面の簡単な説明】
【００１０】
【図１】パチンコ機の正面図である。
【図２】パチンコ機の分解斜視図である。
【図３】パチンコ機における前枠（プラ枠）の正面図である。
【図４】球皿の外観斜視図である。
【図５】球皿を上方から見た平面図である。
【図６】球皿の下球皿を上方から見た平面図である。
【図７】球皿の開放状態における前枠（プラ枠）に取り付けられた発射ユニット及び上球皿シャッター部材近傍の図である。
【図８】前枠（プラ枠）における発射ユニット近傍を拡大した図であって、（ａ）は、発射機カバーを装着した状態、（ｂ）は、発射機カバーを外した状態を示す図である。
【図９】前枠（プラ枠）におけるファール球回収口近傍を拡大した図である。
【図１０】前枠（プラ枠）の背面図である。
【図１１】パチンコ機の遊技球通路構成を説明するための前枠（プラ枠）と裏セットとの分解斜視図である。
【図１２】裏セットの外観斜視図である。
【図１３】裏セットの上部に配置された球タンク近傍を拡大した図である。
【図１４】裏セットの上部に配置された球タンクレール近傍を拡大した図（メンテナンス状態）である。
【図１５】上部通路ユニット及び賞球払出ユニットにおける球通路を示す図である。
【図１６】賞球払出ユニットの解除レバー近傍の内部構成を拡大した図であって、（ａ）は、解除レバーのロック状態、（ｂ）は、解除レバーの解除状態を示す図である。
【図１７】裏セットの下部通路ユニット近傍の拡大図である。
【図１８】下部ユニットを前枠の背面側に装着した状態の図であって、（ａ）は、下部ユニットの閉鎖状態、（ｂ）は、下部ユニットの開放状態を示す図である。
【図１９】下部ユニットの斜視図である。
【図２０】外部端子基板の近傍を拡大した図であり、（ａ）は、配線の接続前の状態、（ｂ）は、配線の接続後の状態を示す図である。
【図２１】光演出部材が取り付けられた裏側アセンブリが、遊技盤ユニットの後方に分解された状態を示す斜視図である。
【図２２】図２１に示す光演出部材を裏側アセンブリの前方に分解した状態を示す斜視図である。
【図２３】図２２に示す導光板ユニットの分解斜視図である。
【図２４】遊技盤（透明板）の前面に前側デザインシートが配置され、後方に後側デザインシートが配置された状況を模式的に示す図である。
【図２５】（ａ）は、前側デザインシート及び後側デザインシートのそれぞれがほぼ同じ大きさの格子状の透光部及び不透光部を有しており、かつそれぞれの不透光部が前後方向において重なる場合において、正面からパチンコ機を見たときに視認される一部の状態を示す図である。（ｂ）は、前側デザインシート及び後側デザインシートがほぼ同じ大きさの格子状の透光部及び不透光部を有しており、かつそれぞれの不透光部が前後方向において重なる場合において、右斜め前方からパチンコ機を見たときに視認される一部の状態を示す図である。
【図２６】（ａ）は、前側デザインシートの前側デザインと後側デザインシートの後側デザインとが前後方向において重なっており、前側デザインが後側デザインより大きく、前側デザインの中央部の後方に後側デザインが配置された場合において、前側デザインの周縁部のみに向けて光が照射されたとき、前側デザインシートの前方から前側デザインシートを見た状態を模式的に示す図である。（ｂ）は、前側デザインシートの前側デザインと後側デザインシートの後側デザインとが前後方向において重なっており、前側デザインが後側デザインより大きく、前側デザインの中央部の後方に後側デザインが配置された場合において、前側デザインの周縁部及び後側デザインに向けて光が照射されたとき、前側デザインシートの前方から前側デザインシートを見た状態を模式的に示す図である。
【実施するための形態】
【００１１】
以下、実施の形態に係るパチンコ機２について、図面を参照しつつ説明する。
【００１２】
＜枠の構成＞
図１は、パチンコ機２の正面図であり、図２は、パチンコ機２の分解斜視図である。図１及び図２に示すように、パチンコ機２は大別すると、パチンコ機２の周囲を囲む外枠４、その内側にヒンジＨＪを介して前方開閉可能に揺動支持されて遊技盤６を保持する前枠（プラ枠）９、前枠（プラ枠）９の前方に前方開閉可能に揺動支持されてガラスＧ及びその周囲を装飾する装飾部材Ｓを保持するガラス枠１２及び裏セットＷで構成される。
【００１３】
図３はパチンコ機２における前枠（プラ枠）９の正面図である。前枠（プラ枠）９は、外枠４の前方に配置され、その左側辺を回転中心として外枠４に対して前方開閉可能に揺動支持されている。前枠（プラ枠）９には正面視略長方形を呈して中央開口９ａが形成されており、ここに盤状部材としての遊技盤６を保持する。
【００１４】
前枠（プラ枠）９の左上部及び左中部には、取付バネ板６６が取り付けられている。さらに、前枠（プラ枠）９の右上部及び右中部には、遊技盤留め具８が取り付けられている。取付バネ板６６及び遊技盤留め具８は、前枠（プラ枠）９に遊技盤６を保持するためのものである。また、前枠（プラ枠）９の左下部には発射ユニットＣが取り付けられている。
【００１５】
＜球皿ユニット及び発射ハンドルの構成＞
図４は、球皿１３の外観斜視図である。図５は、球皿１３を上方から見た平面図である。図６は、球皿１３の下球皿１４ｂを上方から見た平面図である。球皿１３は、上球皿１４ａ及び下球皿１４ｂを有している。球皿１３は、前枠（プラ枠）９の前方かつガラス枠１２の下方に配置される。球皿１３は、その左側端部近傍において上下方向を軸として前枠（プラ枠）９に揺動支持され、前枠（プラ枠）９に対して前方開閉可能とされている。
【００１６】
上球皿１４ａは、球皿１３のベース部１３ａから前方に膨出形成されている。その膨出部の上面側に上貯留凹部１４ｄが凹設され、上貯留凹部１４ｄ内に遊技球２３が貯留されるようになっている。上球皿通路１４０からの遊技球２３は、左側後方のベース部１３ａに開口された通路出口１４１から上貯留凹部１４ｄ内に流入する。流入した遊技球２３は、上貯留凹部１４ｄの周壁１４ｃ後面に沿って上貯留凹部１４ｄの前方寄りを右側に移動する。周壁１４ｃの後面は、左側から左右方向中央近傍にかけて前方に凸の形状とされているが、その中央近傍の切返し部１４ｅから右側にかけて後方に凸の形状に急激に変化している。移動してきた遊技球２３は、この切返し部１４ｅに衝突していったん速度が低減され、周壁１４ｃの後面に沿って演出ボタン４０近傍及びＣＲ操作ボタン４３近傍を通過する。
【００１７】
ＣＲ操作ボタン４３近傍から、周壁１４ｃの後面は滑らかに再び前方に凸の形状となり、遊技球２３はＵターンをするように方向を転換する。その後、遊技球２３はベース部１３ａ前面に沿って右から左へと移動する。ベース部１３ａの前面における上貯留凹部１４ｄの底面は、右から左にかけて徐々に低くなっており、最終的に通路出口１４１の下方に潜り込んでいる。そして、遊技球２３は、発射ユニットＣへと送られるようになっている。なお、上球皿１４ａの左側に球抜きボタン１４ｇが配置されている。球抜きボタン１４ｇを押すことにより、上球皿１４ａ内の遊技球２３を下球皿１４ｂへと移動させることができるようになっている。
【００１８】
下球皿１４ｂも、上球皿１４ａと同様にベース部１３ａから前方に膨出形成されている。その膨出部の上面側に下貯留凹部１４ｆが凹設され、下貯留凹部１４ｆ内に満杯通路１７２からの遊技球２３が貯留されるようになっている。満杯通路１７２（図１１等参照）からの遊技球２３は、ベース部１３ａに開口された通路出口１７２ａを介して下貯留凹部１４ｆに流入する。通路出口１７２ａは、下貯留凹部１４ｆ内の左右方向略中央位置に形成されている。下貯留凹部１４ｆの底面にはシャッター部材により開閉可能な球排出孔１４ｈが形成されている。下球皿１４ｂの周壁前面に球排出レバー１４ｊが配置されており、このレバー操作によって球排出孔１４ｈのシャッター開閉が可能となっている。
【００１９】
球皿１３の右側には発射ハンドルが取り付けられている。発射ハンドルは、遊技球２３の弾球発射のオンオフ、発射強度の調整、発射の一時停止を実現するためのものである。
【００２０】
＜発射ユニットの構成＞
図７は、球皿１３の開放状態における前枠（プラ枠）９に取り付けられた発射ユニットＣ及び上球皿シャッター部材近傍の図である。図８は、前枠（プラ枠）９における発射ユニットＣ近傍を拡大した図である。図８（ａ）は、発射機カバー４８ａを装着した状態を示し、図８（ｂ）は、発射機カバー４８ａを外した状態を示す。
【００２１】
発射ユニットＣは、上球皿１４ａから送られた遊技球２３を遊技盤６の発射通路に向けて弾球発射するためのものである。発射ユニットＣは、前枠（プラ枠）９の前面側であって左側下方近傍に配置されている。この発射ユニットＣは、いわゆる垂直発射方式のものである。発射ユニットＣは、通常は発射機カバー４８ａによってカバーされている。発射機カバー４８ａは、発射ユニットＣの発射槌４８ｂを覆っており、開口部４８ｃが形成されている。
【００２２】
発射機カバー４８ａの内部（後方）には、発射ユニットＣの発射槌４８ｂ、保持部４８ｄ、ソレノイド４８ｇ、緩衝部材４８ｈが配置され、保持部４８ｄの上方には、上方に向けて左に傾斜する発射レール９ｑが配置されている。上球皿１４ａから球送り装置（不図示）を介して１球ずつ送られた遊技球２３は保持部４８ｄによって１球ずつ保持されるようになっている。保持部４８ｄは、遊技球２３が通過可能である保持通路４８ｊと、遊技球２３の落下を防止して遊技球２３を保持する載置部４８ｋとを有する。保持通路４８ｊは載置部４８ｋの上方に位置し、発射された遊技球２３を発射レール９ｑに案内する。
【００２３】
発射槌４８ｂは、載置部４８ｋに保持された遊技球２３を下方から上方に向けて弾球発射するためのハンマー部材であって、回転軸４８ｍを中心に滑らかに回転可能とされている。発射槌４８ｂは磁性材料で構成され、ソレノイド４８ｇのオンオフによって吸着／脱離され、上下に回転する。ソレノイド４８ｇがオン（通電）されると発射槌４８ｂが吸着され、載置部４８ｋに保持された遊技球２３が打点４８ｎによって弾球される。ソレノイド４８ｇのオフ（電源断）によって発射槌４８ｂは脱離して下方に回転落下するが、緩衝部材４８ｈが発射槌４８ｂの下方移動を受け止めて衝撃を吸収しつつ停止させる。
【００２４】
打点４８ｎによって弾球発射された遊技球２３は、保持通路４８ｊから発射レール９ｑへと至り、遊技盤６の発射通路へと上昇する。そして、遊技領域の上方へと案内されて遊技領域を流下する。なお、遊技盤６の発射通路内で失速し、逆行した遊技球（ファール球）は、発射レール９ｑへ戻らず、左側に隣接配置されるファール球回収口へと流入する。
【００２５】
＜ファール球回収機構の構成＞
図９は、前枠（プラ枠）９におけるファール球回収口７３近傍を拡大した図である。ファール球回収口７３は、前枠（プラ枠）９の前面側であって左側下方近傍に配置されている。発射レール９ｑは、上方に向かって左に傾斜しており、ファール球回収口７３は発射レール９ｑの上端近傍の左側に隣接配置されている。ファール球回収口７３は、遊技盤６の発射通路の下方に位置している。
【００２６】
発射ユニットＣによる発射強度が充分でなく、発射された遊技球２３が遊技領域にまで到達しない場合には、遊技球２３が遊技盤６の発射通路内を逆行する。この逆行した遊技球（ファール球）２３は、重力に従って発射通路から略鉛直下方に落下する。発射レール９ｑは、上方に向かって左に傾斜しており、遊技球２３は斜め左上方に発射されるので、発射された後にファール球として落下する遊技球（ファール球）２３は、図９に示すように発射レール９ｑの左側を落下する。発射レール９ｑの左側に隣接してファール球回収口７３が配置されているので、遊技球（ファール球）２３は発射レール９ｑに戻らずにファール球回収口７３内に流入する。したがって、逆行した遊技球（ファール球）２３と次回に発射された遊技球２３との発射レール９ｑ内での相互干渉が防止される。
【００２７】
ファール球回収口７３内に流入した遊技球（ファール球）２３はファール球回収通路７４を通って後方へと送られる。ファール球回収通路７４は下球皿１４ｂへと向かう満杯通路と合流しており、遊技球（ファール球）２３は最終的に下球皿１４ｂへと排出されるようになっている。
【００２８】
＜制御基板の構成＞
図１０は、前枠（プラ枠）９の背面図である。前枠（プラ枠）９の背面には、主制御基板（メイン基板）、副制御基板（サブ基板）、払出制御基板及び電源基板が基板ケース内に収容されて取り付けられている。
【００２９】
主制御基板（メイン基板）は、主に内部抽選を行い、入賞や特別遊技（大当たり遊技等）に係わる制御を行う。副制御基板（サブ基板）は、図柄や音声、ランプ等の制御を行う。払出制御基板ＨＫは、遊技球の払出に関する制御を行う。電源基板ＤＫは、パチンコ機２に供給される電源に関する制御を行う。
【００３０】
副制御基板（サブ基板）及び払出制御基板ＨＫは、主制御基板（メイン基板）からの信号に基づいてそれぞれ制御を行う。主制御基板（メイン基板）と払出制御基板ＨＫの間においては相互通信が認められている。一方、主制御基板（メイン基板）と副制御基板（サブ基板）の間においては相互通信が認められていない。
【００３１】
＜裏セットの構成＞
図１１は、パチンコ機２の遊技球通路構成を説明するための前枠（プラ枠）９と裏セットＷとの分解斜視図である。図１２は、裏セットＷの外観斜視図である。
【００３２】
裏セットＷは、上部ユニット９１、上部通路ユニット９２、賞球払出ユニット９０、下部通路ユニット９３、下部ユニット９４を有している。上部ユニット９１は、球タンク５１、球タンクレール５２を有しており、球タンク５１には容量調整部材５１ａ、押さえ板５１ｍが取り付けられ、球タンクレール５２には球止め部材５３ｃが取り付けられている。上部通路ユニット９２は、内部に球入口９２ｆから球出口９２ｂまでの球通路９２ａ及び着脱レバー９２ｄを有している。賞球払出ユニット９０は、内部に上流通路９０ｆ、球抜き通路９０ｑを有している。下部通路ユニット９３は、内部に球入口９３ａから球出口（不図示）までの賞球用球通路、排出球受入口９３ｃから排出口９３ｄまでの排出球用通路を有している。下部ユニット９４は、内部に上球皿通路１４０、満杯通路１７２、後方排出通路８０を有している。
【００３３】
これらのユニット内部での遊技球２３の状況を外部から視認容易とするために、このパチンコ機２においては、上部通路ユニット９２、賞球払出ユニット９０、下部通路ユニット９３、下部ユニット９４の各々の通路を構成する部材及び外側のカバー部材は透光性材料で形成されている。透光性材料は、例えば、アクリル樹脂やポリカーボネート樹脂等の樹脂材料であり、透明、半透明、着色透明を含む。また、上部ユニット９１においては、球タンク５１、球タンクレール５２、容量調整部材５１ａ、押さえ板５１ｍ、球止め部材５３ｃが透光性材料で形成されており、上部通路ユニット９２においては、球通路の一部として機能する着脱レバー９２ｄも透光性材料で形成されている。
【００３４】
これらの部材が透光性材料で形成され、内部の遊技球２３の状態が外部から視認可能とされているので、例えば球詰まり等を生じた箇所を外部から容易に特定することができる。通路内での遊技球２３の有無状態も外部から容易に把握することができる。したがって、メンテナンス性が極めて高いものとなっている。
【００３５】
＜球タンクの構成＞
図１３は、裏セットＷの上部に配置された球タンク５１近傍を拡大し、後方から斜視した図である。図１４は、裏セットＷの上部に配置された球タンクレール５２近傍を拡大した図（メンテナンス状態）である。球タンク５１は、前枠（プラ枠）９の背面側であって上部近傍に位置し、島設備から供給される遊技球２３を貯留する。球タンク５１に貯留された遊技球２３は、球タンク５１に連通された球タンクレール５２を通って賞球払出ユニット５０へと案内される。
【００３６】
球タンク５１は、概略直方体形状を呈しており、上面が開口している。この上面開口から遊技球２３が球タンク５１内に供給されて貯留される。球タンク５１には、容量調整部材５１ａがセットされている。容量調整部材５１ａは、球タンク５１内に貯留できる遊技球２３の容量を調整するためのものである。
【００３７】
球タンクレール５２の球入口近傍においては、前リブ５２ａ、中リブ５２ｂ、後リブ５２ｃの３つのリブが通路に沿って立設配置されており、遊技球２３が４列で通過するようになっている。球タンクレール５２は、通路途中のテーパ部５２ｄにおいて幅が絞られている。このテーパ部５２ｄ近傍において、前リブ５２ａ及び後リブ５２ｃが終了し、中リブ５２ｂのみが下流側にまで延長している。そして、４列で通路を通過してきた遊技球２３が、テーパ部５２ｄによって２列通過とされる収れん構造を呈している。
【００３８】
上流側整列部材５３ａは、テーパ部５２ｄの上流側に球通路を覆うように配置され、通路が４列から２列に変化する際の遊技球２３の積み重なりや浮きによる球詰まりを防止している。
【００３９】
下流側整列部材５３ｂは、上流側整列部材５３ａの直下流位置に球通路を覆うように配置される。下流側整列部材５３ｂは、回転軸５３ｆを中心に回転可能に球タンクレール５２に取り付けられている。下流側整列部材５３ｂの下面５３ｇが、テーパ部５２ｄからその下流側にかけての通路上面を構成し、遊技球２３の積み重なりや浮きによる球詰まりを防止している。
【００４０】
球止め部材５３ｃは、下流側整列部材５３ｂより更に下流側に配置されている。球止め部材５３ｃは、賞球払出ユニット９０のメンテナンス時等の際に球タンクレール５２を通過する遊技球２３を停止させ、遊技球２３の零れ落ちを防止するためのものである。
【００４１】
＜上部通路ユニット及び賞球払出ユニットの構成＞
図１５は、上部通路ユニット９２及び賞球払出ユニット９０における球通路を示す図である。図１５においては、上部通路ユニット９２及び賞球払出ユニット９０の通路カバーを取り外して内部の球通路を視認可能としている。
【００４２】
上部通路ユニット９２の球通路９２ａは、前後方向に数回折り返しつつ遊技球２３を賞球払出ユニット９０へと誘導している。球通路９２ａが前後方向に折り返しているので、球通路９２ａ内に多数の遊技球２３が滞留した場合でも、遊技球２３相互へ加わる球圧が軽減されている。なお、賞球払出ユニット９０における球入口９０ｂからスプロケット９５ｅまでの上流通路９０ｆも、球通路９２ａと同様に前後方向に繰り返し折り返す構成とされており、球圧軽減が図られている。
【００４３】
賞球払出ユニット９０は、上部通路ユニット９２と下部通路ユニット９３との間に着脱可能に装着される。
【００４４】
スプロケット９５ｅは周上に３つの球保持部を有しており、１回転で３個の遊技球２３を払い出すことができる。この賞球払出ユニット９０には、２つのスプロケット９５ｅを有しているので、１回転で合計６個の遊技球２３を排出する。スプロケット９５ｅの回転数と駆動モータ９５ａの回転数とが同期しているので、駆動モータ９５ａの１回転で遊技球２３が６個払い出されることとなる。
【００４５】
図１５に示すように、上部通路ユニット９２は、上部ユニット９１の球タンクレール５２と賞球払出ユニット９０とを接続するためのものである。上部通路ユニット９２は、上部ユニット９１からの遊技球２３を球入口９２ｆから受け入れ、球通路９２ａを通って球出口９２ｂまで案内し、球出口９２ｂから賞球払出ユニット９０へと流下させる。
【００４６】
＜賞球払出ユニット内部の構成＞
図１６は、賞球払出ユニット９０の解除レバー９０ｄ近傍の内部構成を拡大した図である。（ａ）は、解除レバー９０ｄのロック状態、（ｂ）は、解除レバー９０ｄの解除状態を示す。解除レバー９０ｄは、回転軸９０ｇを中心に±α方向に回転する。回転軸９０ｇには突部９０ｈが形成されている。突部９０ｈは、ロック状態において揺動通路９０ｊの支持部９０ｋを支持して揺動通路９０ｊの揺動を禁止し、解除状態において揺動通路９０ｊの支持部９０ｋの支持を解除して揺動通路９０ｊの揺動を許容する。
【００４７】
揺動通路９０ｊは、賞球払出ユニット９０の上流通路９０ｆの一部を構成する球通路である。揺動通路９０ｊは、支点９０ｍを中心に±β方向に揺動可能となっている。通常使用状態、すなわち解除レバー９０ｄのロック状態においては、図１６（ａ）に示すように、突部９０ｈにより支持部９０ｋが支持される。揺動通路９０ｊは−β方向に揺動した状態で保持され、＋β方向への揺動が禁止される。このとき、揺動通路９０ｊの通路出口９０ｎは、スプロケット９５ｅに向かう上流通路９０ｆの通路口９０ｐに対向し、遊技球２３がスプロケット９５ｅへと案内される。
【００４８】
解除レバー９０ｄの解除状態においては、図１６（ｂ）に示すように、突部９０ｈによる支持部９０ｋの支持が解除される。そうすると、揺動通路９０ｊ内に滞留している遊技球２３の重量により、揺動通路９０ｊが＋β方向に揺動する。揺動通路９０ｊの通路出口９０ｎは、通路口９０ｐでなく、球抜き通路９０ｑへと遊技球２３を流下させる位置となる。そして、揺動通路９０ｊ内の遊技球２３はスプロケット９５ｅでなく球抜き通路９０ｑへと送られることとなる。なお、球抜き通路９０ｑは、賞球払出ユニット９０の前方に形成された前方空間９０ｒと前枠９の背面とにより構成される。
【００４９】
この構成により、賞球払出ユニット９０を取り付けた通常状態（解除レバー９０ｄのロック状態）においては、球入口９０ｂから受け入れた遊技球２３をスプロケット９５ｅへと案内し、賞球として払い出すことができる。そして、メンテナンス時等において賞球払出ユニット９０を取り外す際、解除レバー９０ｄを＋α方向へ回転させると、自動的に揺動通路９０ｊ内の遊技球２３を球抜き通路９０ｑへと切り替えて案内し、パチンコ機２裏側の島設備へと遊技球２３を排出することができる。なお、揺動通路９０ｊ内に遊技球２３がなくなると、揺動通路９０ｊは自身の重量バランスにより自然と−β方向へ揺動し、通路出口９０ｎが再び通路口９０ｐに対向する。
【００５０】
＜下部通路ユニットの構成＞
図１７は、裏セットＷの下部通路ユニット９３近傍の拡大図である。下部通路ユニット９３は、前枠９の背面側であって賞球払出ユニット９０の下方に位置している。下部通路ユニット９３は、賞球払出ユニット９０から払い出された賞球としての遊技球２３を下部ユニット９４に向けて案内する。そのため、下部通路ユニット９３は、上面側に球入口９３ａを有し、下面側に球出口（不図示）を有している。また、下部通路ユニット９３は、賞球払出ユニット９０の球抜き通路９０ｑから排出された遊技球２３を排出球受入口９３ｃから受け入れ、排出口９３ｄから排出する。
【００５１】
下部通路ユニット９３には、電波センサ９３ｂが配置されている。電波センサ９３ｂは、賞球払出ユニット９０の通過センサ９５ｋの近傍に位置している。通過センサ９５ｋは、スプロケット９５ｅにより払い出された賞球としての遊技球２３の払出数をカウントするためのセンサである。すなわち、駆動モータ９５ａの駆動により賞球払出が開始され、通過センサ９５ｋによって所定数の賞球払出がカウントされると、駆動モータ９５ａの駆動が停止されて賞球払出が停止するようになっている。
【００５２】
電波センサ９３ｂは、不正行為者による不正電波を検出するためのものである。通過センサ９５ｋの近傍で不正電波が発せられると、その影響により通過センサ９５ｋが誤動作して所定数の賞球払出を正常にカウントできなくなる場合がある。そうすると、駆動モータ９５ａが所定数の賞球払出で停止せず、所定数を超えて賞球が払い出されてしまう場合がある。電波センサ９３ｂは、そのような不正電波の発信を検知することにより、通過センサ９５ｋの誤動作を予防し、不正な多量の賞球払出を防止する。
【００５３】
＜下部ユニットの構成＞
図１８（ａ）は、下部ユニット９４の閉鎖状態、図１８（ｂ）は、下部ユニット９４の開放状態を示す。下部ユニット９４は、賞球払出ユニット９０から払い出され、下部通路ユニット９３を通過した賞球としての遊技球２３を上球皿１４ａへと案内する。下部ユニット９４は、遊技球（賞球）２３を下部通路ユニット９３の球出口から受け取る球入口９４ａを有している。球入口９４ａから流入した遊技球２３は突出片８４に衝突して上球皿通路１４０を通り、通路出口１４１から上球皿１４ａへと至る。
【００５４】
下部ユニット９４は、賞球払出ユニット９０から球抜きされて球抜き通路９０ｑを流下し、下部通路ユニット９３を通過した排出球としての遊技球２３を島設備側の球回収口へと案内する。下部ユニット９４は、下部通路ユニット９３の排出口９３ｄから排出された遊技球（排出球）２３を排出口９３ｄの下方に位置する後方排出通路８０で受け取り、島設備側の球回収口へと排出する。
【００５５】
下部ユニット９４は、背面側に払出制御基板（制御手段の一部）を収容した払出制御基板ケース１２１を保持している。下部ユニット９４は、左端部近傍に位置する支軸部９４ｂによって前枠（プラ枠）９に対して後方側に揺動開閉可能に軸支されている。パチンコ機２の通常使用状態においては下部ユニット９４は前方移動され、閉鎖状態となる（図１８（ａ）参照）。一方、下部ユニット９４を後方移動して開放状態とすれば、前枠９の背面側及び下部ユニット９４の前面側が容易に露出するので、メンテナンス性が向上する。
【００５６】
図１９は、下部ユニット９４の斜視図である。下部ユニット９４は、球抜きによって排出された遊技球２３をパチンコ機２の後方へと排出する後方排出通路８０を有している。後方排出通路８０は、下部通路ユニット９３の排出口９３ｄからの遊技球（排出球）２３を受け入れて右方向へと流下させる第１排出通路８０ａ、第１排出通路８０ａを通過後の遊技球２３を前方へと流下させる第２排出通路８０ｂ、第２排出通路８０ｂ通過後の遊技球２３を再び右方向へと流下させる第３排出通路８０ｃを有している。第３排出通路８０ｃ通過後の遊技球２３は、上下方向の第４排出通路８０ｄ（不図示）を通って後方排出口８０ｅから島設備側の球回収口へと排出される。
【００５７】
第１排出通路８０ａの底面には、左右方向に延びる複数のリブ８０ｊが形成されている。リブ８０ｊ上を遊技球２３が通過するので、第１排出通路８０ａの底面に塵埃が溜まった場合でも、遊技球２３に汚れが付着しない。第１排出通路８０ａの終端には、遊技球２３を円滑に第２排出通路８０ｂへと案内するためのコーナーリブ（不図示）が形成されている。
【００５８】
第３排出通路８０ｃの終端には、遊技球２３を円滑に第４排出通路８０ｄへと案内するためのコーナーリブ８０ｍが形成されている。コーナーリブ８０ｍもコーナーリブ（不図示）と同様に、角部において上下３段に亘って形成されている。コーナーリブ８０ｍの最下段のものには、不正工具の侵入を防止するための不正対策部材を載置するための載置部８０ｎが形成されている。したがって、最下段のコーナーリブ８０ｍは、他の２段に比較して大型とされており、角部からの突出量が大きい。
【００５９】
＜外部端子板の構成＞
図２０は、外部端子基板８６の近傍を拡大した図である。（ａ）は、配線８７の接続前の状態、（ｂ）は配線８７の接続後の状態を示す。外部端子基板８６は、前枠（プラ枠）９の背面側であって上部左端部近傍に配置されている。外部端子基板８６は、島設備側からの配線８７を接続するための基板である。パチンコ機２を設置するホールには、パチンコ機２の遊技や動作の状況を集中管理するためのホールコンピュータ（不図示）が設置されている。ホールに設置される各パチンコ機２からホールコンピュータへの情報送信を可能とするために、ホールコンピュータと島設備とが配線接続され、島設備と各パチンコ機２とが外部端子基板８６を介して配線接続されている。
【００６０】
外部端子基板８６は、右側端部を前枠（プラ枠）９の押さえ部８６ａ内に進入させて、左側上端部において１本のネジで締結されている。外部端子基板８６は、島設備からの配線８７を１本ずつ接続するための端子８６ｂを列状に複数有している。各端子８６ｂは操作片８６ｃと配線挿通孔８６ｄとを有している。操作片８６ｃは、付勢手段（不図示）によって下方に付勢されており、上方に持ち上げると配線挿通孔８６ｄが開口するようになっている。配線挿通孔８６ｄは、島設備からの配線８７を、その芯線を露出した状態で挿通するための挿通孔であって、芯線と接触して導通する導電部８６ｅと操作片８６ｃに連動して上下動する圧接部８６ｆとを有する。操作片８６ｃを上方へ持ち上げると圧接部８６ｆが上方移動して配線挿通孔８６ｄが開口する。この状態で島設備からの配線８７を配線挿通孔８６ｄに挿通させる。そして、操作片８６ｃから手を離すと操作片８６ｃが下方に下がり、圧接部８６ｆと導電部８６ｅとで配線８７の芯線が挟持される。
【００６１】
隣接する端子８６ｂ同士では、操作片８６ｃの初期位置（手を離した状態における位置）が上下及び前後方向（奥行き方向）にずれるように設定されている。すなわち、操作片８６ｃの初期位置が、順に上→下→上→下となるように配置されている。
【００６２】
＜光演出部材＞
図２１は、光演出部材３０が取り付けられた裏側アセンブリ２９が、遊技盤ユニット５の後方に分解された状態を示す斜視図である。裏側アセンブリ２９は、遊技盤ユニット５の後方に取り付けられる部材であって、光演出部材３０を前方に支持する。遊技盤ユニット５は、遊技盤６とスペーサ７とを有する。遊技盤６は、遊技媒体としての遊技球２３が流下可能な遊技領域が表面に形成されており、透光性を有する。例えば、遊技盤６は、アクリル等の透明又は半透明の樹脂によって形成されている板（以下、「透明板」と記載する。）である。
【００６３】
遊技盤（透明板）６は、従来の遊技盤における基板として用いられているベニヤ板より薄い。遊技盤６における基板の厚みを従来のベニヤ板の厚みと同一にする場合には、遊技盤６の厚みとベニヤ板の厚みとの差分の厚みを有するスペーサ７を用いる。遊技盤６として透明板を用いる場合、遊技盤６の後方に役物を配置しても前方からその役物を視認することができるため、その役物を用いた演出を遊技者に呈示することができる。その役物の視認性を確保するため、スペーサ７は遊技盤（透明板）６の後面の外周部に取り付けられる。
【００６４】
図２２は、図２１に示す光演出部材３０を裏側アセンブリ２９の前方に分解した状態を示す斜視図である。図２２に示す通り、光演出部材３０は、デザインシートユニット３１と、導光板ユニット３２とを有する。導光板ユニット３２は、ネジにより裏側アセンブリ２９の右側前方に取り付けられる。デザインシートユニット３１は、ネジにより導光板ユニット３２の前方に取り付けられる。
【００６５】
図２１及び図２２に示す通り、デザインシートユニット３１は、遊技盤６の後方に配置されるユニットであって、デザインシート３１ａと、シート保持部３１ｂとを有する。デザインシート３１ａは、表面にデザイン３１ｃが付されており、少なくとも部分的に透光性を有するシートである。デザインシート３１ａは例えば樹脂によって形成されており、デザイン３１ｃは例えば雲を示す絵である。
【００６６】
シート保持部３１ｂは、デザインシート３１ａを前方において保持するための皿状部材であって、アクリル等の透明又は半透明の樹脂によって形成されていて透光性を有し、後方から照射されてくる光を透過させて前方のデザインシート３１ａに伝達する。シート保持部３１ｂの周囲には孔が形成されており、その孔が利用されてネジにより導光板ユニット３２の前方に取り付けられる。シート保持部３１ｂの前方の周囲の複数個所には、内側向きの爪３１ｄが設けられている。デザインシート３１ａは、シート保持部３１ｂの底面と複数の爪３１ｄとによって周囲の複数個所が挟まれることにより、シート保持部３１ｂに保持される。
【００６７】
図２３は、図２２に示す導光板ユニット３２の分解斜視図である。導光板ユニット３２は図２２に示すデザインシートユニット３１の後方に配置されるユニットであって、図２３に示す通り、前面上にパターン３２ｂが形成されている導光板３２ａと、光拡散シート３２ｃと、遮光部材３２ｄと、後方光源３２ｈが取り付けられている後方光源用基板３２ｅと、側方光源３２ｋが取り付けられている側方光源用基板３２ｇと、導光板用筐体３２ｍとを有する。
【００６８】
導光板３２ａは、デザインシートユニット３１の後方に、すなわちデザインシート３１ａの後方に、遊技盤６及びデザインシート３１ａと平行となるように配置される透明な板状光学素子である。導光板３２ａは、後方及び側方から入射してくる光を前方の出射面から出射させる機能を有する。
【００６９】
導光板３２ａは透明であってかつその屈折率が空気よりも大きいため、導光板３２ａの側面から導光板３２ａ内部に入射した光は導光板３２ａ内部で反射を繰り返し、導光板３２ａ表面の透明部分から外部へと殆ど漏れない。したがって、導光板３２ａ側面から側方光源３２ｋにより光を入射しても、導光板３２ａの表面の透明部分からはその光が殆ど見えない。しかし、導光板３２ａ前面のパターン３２ｂが形成されている部分においては、導光板３２ａ内部に入射した側方光源３２ｋからの光が外部へと漏れるようになっている。そのため、前方から導光板３２ａを見た場合、側方光源３２ｋからの光によってパターン３２ｂ部分のみが光るようになっている。
【００７０】
パターン３２ｂは、導光板３２ａの前面上に形成されたものであって、導光板３２ａの透明度と異なる透明度を有する。パターン３２ｂは、図２２及び２３では星状のものとして示されている。パターン３２ｂは、印刷等の技術によって白色等のインクが用いられて形成されたものであって、インクが付着している部分と付着していない部分とにより導光板３２ａの前面に設けられた凹凸形状を有するものである。パターン３２ｂは、導光板３２ａの前面が機械加工されて部分的に切欠き又は凹形状とされたものではなく、導光板３２ａの前面に表面処理が行われて部分的にすりガラス状（フロスト状）とされたものでもない。パターン３２ｂは、導光板３２ａの前面の全部ではなく一部に形成されるものであって、前後方向においてデザインシートユニット３１のデザイン３１ｃの一部と重なるように導光板３２ａの前面上に形成される。
【００７１】
光拡散シート３２ｃは、導光板３２ａの後方に配置されるシートであって、後方から入射してくる光を拡散して導光板３２ａに向けて出射させる。光拡散シート３２ｃは透光性を有する樹脂によって形成されており、例えば乳白色のシート又はフロスト加工されたシートである。
【００７２】
遮光部材３２ｄは、光拡散シート３２ｃの後方に配置される部材であって、底面に複数個の孔３２０が設けられており、後方光源３２ｈからの光を孔３２０を介して光拡散シート３２ｃに伝達させる。遮光部材３２ｄは底面の外周において前方に突出した周囲壁３２１を有しており、底面と周囲壁３２１とで形成される空間に光拡散シート３２ｃが配置されることにより、遮光部材３２ｄは光拡散シート３２ｃを保持する。遮光部材３２ｄは周囲壁３２１により、後方光源３２ｈからの光が光拡散シート３２ｃの外側に漏れたり、外部からの光が光拡散シート３２ｃへ伝達されてしまったりするのを防止している。遮光部材３２ｄは底面内部においても前方に突出した区画壁３２２を有しており、区画壁３２２によって１個又は複数個の孔３２０が区画されており、隣り合う区画への光漏れが防止されている。
【００７３】
後方光源用基板３２ｅは遮光部材３２ｄの後方に配置される基板であって、後方光源用基板３２ｅの前方の複数個所のそれぞれには、後方光源３２ｈが配置される。後方光源用基板３２ｅのうちの後方光源３２ｈが配置される部位は、前後方向において遮光部材３２ｄの底面の孔３２０と重なる。側方光源用基板３２ｇは導光板３２ａの側方に配置される基板であって、側方光源用基板３２ｇの内側には側方光源３２ｋが配置される。
【００７４】
後方光源３２ｈは、後方光源用基板３２ｅの前方側の複数個所のそれぞれに配置され、前方に光を照射する発光素子である。発光素子は例えばＬＥＤである。上述の通り後方光源用基板３２ｅのうちの後方光源３２ｈが配置される部位は、前後方向において遮光部材３２ｄの底面の孔３２０と重なるので、後方光源３２ｈが発する光は孔３２０を介して光拡散シート３２ｃに到達する。また上述の通り遮光部材３２ｄの底面には区画壁３２２が設けられており、区画壁３２２によって１個又は複数個の孔３２０が区画され、かつ隣り合う区画への光漏れが防止されている。そのため、区画毎に色合いや光強度が相違するような後方光源３２ｈを用いて区画毎に異なる色合いや異なる光強度での光演出を実行することができる。その光演出は、遊技者の興趣増大に寄与する。
【００７５】
側方光源３２ｋは、側方光源用基板３２ｇの内側に配置され、側面から導光板３２ａの内部に光を照射する発光素子である。発光素子は例えばＬＥＤである。側方光源用基板３２ｇが導光板３２ａの側方に配置されると、側方光源３２ｋは側面から導光板３２ａの内部に光を照射できるように導光板３２ａの側面と対向する。
【００７６】
導光板用筐体３２ｍは、前面上にパターン３２ｂが形成されている導光板３２ａ、光拡散シート３２ｃ、遮光部材３２ｄ、後方光源３２ｈが取り付けられている後方光源用基板３２ｅ、及び側方光源３２ｋが取り付けられている側方光源用基板３２ｇを保持するためのものであって、側部を有する皿状の筐体である。導光板用筐体３２ｍの周囲には孔が形成されており、その孔が利用されてネジにより裏側アセンブリ２９の右側前方に取り付けられる。
【００７７】
導光板用筐体３２ｍの底面に後方光源用基板３２ｅが配置され、後方光源用基板３２ｅの前方に遮光部材３２ｄが配置され、その前方に光拡散シート３２ｃが配置され、その前方に導光板３２ａが配置される。側方光源用基板３２ｇは、導光板３２ａの側方に配置される。導光板用筐体３２ｍを用いることにより、導光板ユニット３２の各構成部品をまとめて扱うことができる。
【００７８】
副制御基板（演出制御部）は、多数の演出を制御する機能を有し、その一つとして光演出を制御する機能も有する。すなわち、副制御基板は、側方光源３２ｋが光を照射するタイミングを遊技状況等に応じて制御する。例えば、副制御基板は、通常遊技時においては光を照射させず、特別遊技時において光を照射させるように側方光源３２ｋを制御する。このように、副制御基板が、通常遊技時においては光を照射させず、特別遊技時において光を照射させるように側方光源３２ｋを制御する場合、特別遊技時においてのみ、側方光源３２ｋからの光が導光板３２ａの内部に入射する。
【００７９】
導光板３２ａの前面上には凹凸形状を有するパターン３２ｂが形成されているので、導光板３２ａの側面から内部に入射した側方光源３２ｋからの光はパターン３２ｂによって前方に散乱する。パターン３２ｂは前方のデザインシート３１ａのデザイン３１ｃと前後方向において部分的に重なっている。そのため、デザイン３１ｃのうちパターン３２ｂと重なっている部分には、パターン３２ｂと重なっていない周囲部位と比べて後方から多くの量の光が照射される。つまり、パチンコ機２は、後方光源３２ｈによる光演出と側方光源３２ｋによる光演出とのブレンドにより、多様な光演出を提供することができる。その結果、パチンコ機２は、遊技盤６の前方で遊技を行う遊技者に対して、特別遊技時においては通常遊技時とは異なる光演出を提供することができる。すなわち、パチンコ機２は、より高い光演出効果を発揮することができる。
【００８０】
なお、上述した実施の形態では、デザインシート３１ａは遊技盤６の後方に配置される。しかしながら、デザインシート３１ａは遊技盤６の前方に配置されてもよい。具体的には、デザインシート３１ａは遊技盤６の前面に配置されてもよい。その場合、シート保持部３１ｂは用いられず、デザインシート３１ａのみが遊技盤６の前面に配置されることが好ましい。例えば、デザインシート３１ａには、遊技盤６の前面の遊技釘が取り付けられる部位（以下、「釘取付部位」と記載する。）に重なる位置において貫通孔を設けておく。遊技盤６の前面の釘取付部位と、デザインシート３１ａの貫通孔とが重なるように、遊技盤６の前面にデザインシート３１ａを配置して、デザインシート３１ａを遊技盤６の前面に取り付ける。
【００８１】
上述した実施の形態では、デザインシート３１ａ及び導光板３２ａは、前後方向においてデザイン３１ｃとパターン３２ｂとが部分的に重なるように配置される。しかしながら、前後方向においてデザイン３１ｃとパターン３２ｂとは重なっていなくてもよい。
【００８２】
上述した実施の形態では、導光板３２ａ、光拡散シート３２ｃ、後方光源３２ｈ及び側方光源３２ｋは導光板用筐体３２ｍに収容される。しかしながら、導光板３２ａ、光拡散シート３２ｃ、後方光源３２ｈ及び側方光源３２ｋの一部又は全部は、導光板用筐体３２ｍに収容されなくてもよい。
【００８３】
上述した実施の形態では、副制御基板は、例えば、通常遊技時においては光を照射させず、特別遊技時において光を照射させるように側方光源３２ｋを制御する。しかしながら、副制御基板が側方光源３２ｋによる光照射を制御するタイミングは上述したタイミングに限定されない。
【００８４】
上述した実施の形態では、パターン３２ｂは導光板３２ａの前面上に形成される。しかしながら、パターン３２ｂは導光板３２ａの後面上に形成されてもよい。パターン３２ｂが導光板３２ａの後面上に形成されても、パターン３２ｂの部分から側方光源３２ｋからの光が前方に漏れるので、パターン３２ｂが導光板３２ａの前面上に形成された場合と同様の機能及び効果が発揮される。
【００８５】
＜変形例１＞
上述した実施の形態では、デザインシートは１つしか用いられない。しかしながら、２つ以上のデザインシートが用いられてもよい。２つ以上のデザインシートが用いられる場合、全部のデザインシートが遊技盤６の後方に配置されてもよいし、一部のデザインシートが遊技盤６の前方に配置され、残部のデザインシートが遊技盤６の後方に配置されてもよい。
【００８６】
図２４は、遊技盤（透明板）６の前面に前側デザインシート６１が配置され、後方に後側デザインシート６２が配置された状況を模式的に示す図である。例えば、前側デザインシート６１及び後側デザインシート６２のそれぞれに透光部６１ａ，６２ａ及び不透光部６１ｂ，６２ｂを設け、少なくとも一部の不透光部６１ｂ，６２ｂが前後方向において重ならないように、前側デザインシート６１及び後側デザインシート６２を遊技盤６の前後に配置する。加えて、後側デザインシート６２の後方に、前側デザインシート６１及び後側デザインシート６２を後方から照射する面光源６３を配置する。
【００８７】
図２５（ａ）は、前側デザインシート６１及び後側デザインシート６２のそれぞれがほぼ同じ大きさの格子状の透光部６１ａ，６２ａ及び不透光部６１ｂ，６２ｂを有しており、かつそれぞれの不透光部６１ｂ，６２ｂが前後方向において重なる場合において、正面からパチンコ機２を見たときに視認される一部の状態を示す図である。図２５（ｂ）は、前側デザインシート６１及び後側デザインシート６２がほぼ同じ大きさの格子状の透光部６１ａ，６２ａ及び不透光部６１ｂ，６２ｂを有しており、かつそれぞれの不透光部６１ｂ，６２ｂが前後方向において重なる場合において、右斜め前方からパチンコ機２を見たときに視認される一部の状態を示す図である。なお説明の簡単化のため、図２５には、遊技盤６及び面光源６３を示していない。
【００８８】
前側デザインシート６１及び後側デザインシート６２がほぼ同じ大きさの格子状の透光部６１ａ，６２ａ及び不透光部６１ｂ，６２ｂを有しており、かつそれぞれの不透光部６１ｂ，６２ｂが前後方向において重なっている場合を想定する。その場合、正面からパチンコ機２を見ると、図２５（ａ）に示す通り、遊技者は前側デザインシート６１の不透光部６１ｂと、後側デザインシート６２の不透光部６２ｂとを視認し、各シートの透光部６２ａを視認しない。
【００８９】
前側デザインシート６１と後側デザインシート６２との間には所定の厚みを有する遊技盤６が設けられている。そのため、前側デザインシート６１及び後側デザインシート６２のそれぞれの不透光部６１ｂ，６２ｂが前後方向において重なっていても、右斜め前方からパチンコ機２を見ると、図２５（ｂ）に示す通り、前側デザインシート６１の不透光部６１ｂと、後側デザインシート６２の不透光部６２ｂとが位置ずれしたように見え、遊技者は透光部６１ａを介して後方からの透光を視認する。
【００９０】
例えば、遊技者は通常遊技時においては正面からパチンコ機２を見るが、特別遊技時においてはパチンコ機２が「斜めから見よ！」と画像又は音声により報知する場合、遊技者は斜め前方からパチンコ機２を見る。このように、遊技者は正面からも斜め前方からもパチンコ機２を見る。そのため、図２５（ａ）及び図２５（ｂ）に示すように、パチンコ機２を見る角度に応じて、遊技者は異なった状態で不透光部６１ｂ、６２ｂを見る。更に言うと、遊技者は、正面からパチンコ機２を見たときには視認しないパチンコ機２の後方からの透光を、斜め前方からパチンコ機２を見たときに視認する。しがたって、遊技者は複雑な光演出を楽しむことができる。
【００９１】
＜変形例２＞
遊技盤（透明板）６の前面に前側デザインシートを配置し、後方に後側デザインシートを配置する場合、第１の波長の光を透過させ第２の波長の光を透過させない前側デザインが施された前側デザインシートと、第１の波長の光を透過させず第２の波長の光を透過させる後側デザインが施された後側デザインシートとを用いてもよい。例えばその際、前側デザインと後側デザインとが前後方向において重ならないようにする。加えてその際、後側デザインシートの後方に配置する光源として、第１の波長の光を照射する第１の光源と、第２の波長の光を照射する第２の光源とを用いる。更にその際、副制御基板に、第１の光源の光照射タイミングと第２の光源の光照射タイミングとが異なるように制御させる。
【００９２】
上述のように、副制御基板によって、第１の波長の光が照射されるタイミングと第２の波長の光が照射されるタイミングとが異なるように制御され、前側デザインと後側デザインとが前後方向において重ならない場合を想定する。その場合、遊技者は、前側デザインシートの前側デザインと、後側デザインシートの後側デザインとを異なるタイミングに視認する。それにより、遊技者は複雑な光演出を楽しむことができる。なお例えば、第１の波長の光は赤色光であり、第２の波長の光は青色光である。
【００９３】
＜変形例３＞
遊技盤（透明板）６の前面に前側デザインシートを配置し、後方に後側デザインシートを配置する場合、例えば前側デザインシートに施される前側デザインと後側デザインシートに施される後側デザインとは重なる。その場合、例えば、前側デザインの大きさを後側デザインの大きさより大きくし、かつ前側デザインの中央部の後方に後側デザインを配置してもよい。加えて、前側デザインも後側デザインも後方からの光を前方に透過させてもよい。更に、後側デザインシートの後方に、前側デザインの周縁部に向けて光を照射する周縁光源と、後側デザインに向けて光を照射する中央光源とを用いてもよい。その際、周縁光源が照射する光の量よりも、中央光源が照射する光の量を多くしてもよい、更にまた、副制御基板に、周縁光源及び中央光源のそれぞれにおける光照射タイミングを制御させてもよい。
【００９４】
図２６（ａ）は、前側デザインシート６７の前側デザイン６７ａと後側デザインシートの後側デザイン６８ａとが前後方向において重なっており、前側デザイン６７ａが後側デザイン６８ａより大きく、前側デザイン６７ａの中央部の後方に後側デザイン６８ａが配置された場合において、前側デザイン６７ａの周縁部のみに向けて光が照射されたとき、前側デザインシート６７の前方から前側デザインシート６７を見た状態を模式的に示す図である。図２６（ａ）において、前側デザイン６７ａの周縁部の二重の円弧は、前側デザイン６７ａの周縁部において、多くの光が後方から前方に透過していることを示している。
【００９５】
図２６（ｂ）は、前側デザインシート６７の前側デザイン６７ａと後側デザインシートの後側デザイン６８ａとが前後方向において重なっており、前側デザイン６７ａが後側デザイン６８ａより大きく、前側デザイン６７ａの中央部の後方に後側デザイン６８ａが配置された場合において、前側デザイン６７ａの周縁部及び後側デザイン６８ａに向けて光が照射されたとき、前側デザインシート６７の前方から前側デザインシート６７を見た状態を模式的に示す図である。図２６（ｂ）において、前側デザイン６７ａの周縁部の二重の円弧は、前側デザイン６７ａの周縁部において、多くの光が後方から前方に透過していることを示している。前側デザイン６７ａの中央部の星形は、後方から前方の向きに後側デザイン６８ａ及び前側デザイン６７ａの中央部を透過した光であって、前側デザイン６７ａの周縁部のよりも多くの光が前方に透過していることを示している。
【００９６】
前側デザイン６７ａの周縁部のみに向けて光が照射された場合、パチンコ機２の前方の遊技者は、図２６（ａ）に示すように、前側デザイン６７ａの周縁部からの方が中央部からよりもより多い量の光が透過してくるという一つ目の光演出を認識する。
【００９７】
前側デザイン６７ａの周縁部に向けても後側デザイン６８ａに向けても光が照射された場合、パチンコ機２の前方の遊技者は、図２６（ｂ）に示すように、前側デザイン６７ａの周縁部のみに向けて光が照射された場合と同様に、前側デザイン６７ａの周縁部から多くの量の光が透過してくるという光演出を認識する。加えてその場合、周縁光源が照射する光の量よりも中央光源が照射する光の量の方が多いので、遊技者は、前側デザイン６７ａの周縁部からよりも中央部からの方がより多い量の光が透過してくるという二つ目の光演出を認識する。そのため、遊技者は、複雑な光演出を楽しむことができる。なお例えば、前側デザイン６７ａの周縁部のみに向けて光が照射されるのは通常演出時であり、前側デザイン６７ａの周縁部に向けても後側デザイン６８ａに向けても光が照射されるのは特別遊技時である。
【００９８】
上述した変形例１−３においては、導光板ユニット３２は用いられてもよいし用いられなくてもよい。
【符号の説明】
【００９９】
ＨＪ：ヒンジ
Ｇ：ガラス
Ｓ：装飾部材
Ｗ：裏セット
Ｃ：発射ユニット
ＨＫ：払出制御基板
ＤＫ：電源基板
２：パチンコ機
４：外枠
５：遊技盤ユニット
６：遊技盤（透明板）
７：スペーサ
８：遊技盤留め具
９：前枠（プラ枠）
９ａ：中央開口
９ｑ：発射レール
１２：ガラス枠
１３：球皿
１３ａ：ベース部
１４ａ：上球皿
１４ｂ：下球皿
１４ｃ：周壁
１４ｄ：上貯留凹部
１４ｅ：切返し部
１４ｆ：下貯留凹部
１４ｇ：球抜きボタン
１４ｈ：球排出孔
１４ｊ：球排出レバー
２３：遊技球
２９：裏側アセンブリ
３０：光演出部材
３１：デザインシートユニット
３１ａ：デザインシート
３１ｂ：シート保持部
３１ｃ：デザイン
３１ｄ：爪
３２：導光板ユニット
３２ａ：導光板
３２ｂ：パターン
３２ｃ：光拡散シート
３２ｄ：遮光部材
３２ｅ：後方光源用基板
３２ｇ：側方光源用基板
３２ｈ：後方光源
３２ｋ：側方光源
３２ｍ：導光板用筐体
４０：演出ボタン
４３：ＣＲ操作ボタン
４８ａ：発射機カバー
４８ｂ：発射槌
４８ｃ：開口部
４８ｄ：保持部
４８ｇ：ソレノイド
４８ｈ：緩衝部材
４８ｊ：保持通路
４８ｋ：載置部
４８ｍ：回転軸
４８ｎ：打点
５０：賞球払出ユニット
５１：球タンク
５１ａ：容量調整部材
５１ｍ：押さえ板
５２：球タンクレール
５２ａ：前リブ
５２ｂ：中リブ
５２ｃ：後リブ
５２ｄ：テーパ部
５３ａ：上流側整列部材
５３ｂ：下流側整列部材
５３ｃ：球止め部材
５３ｆ：回転軸
５３ｇ：下面
６１：前側デザインシート
６１ａ：透光部
６１ｂ：不透光部
６２：後側デザインシート
６２ａ：透光部
６２ｂ：不透光部
６３：面光源
６６：取付バネ板
６７：前側デザインシート
６７ａ：前側デザイン
６８ａ：後側デザイン
７３：ファール球回収口
７４：ファール球回収通路
８０：後方排出通路
８０ａ：第１排出通路
８０ｂ：第２排出通路
８０ｃ：第３排出通路
８０ｄ：第４排出通路
８０ｅ：後方排出口
８０ｊ：リブ
８０ｍ：コーナーリブ
８０ｎ：載置部
８４：突出片
８６：外部端子基板
８６ａ：押さえ部
８６ｂ：端子
８６ｃ：操作片
８６ｄ：配線挿通孔
８６ｅ：導電部
８６ｆ：圧接部
８７：配線
９０：賞球払出ユニット
９０ｂ：球入口
９０ｄ：解除レバー
９０ｆ：上流通路
９０ｇ：回転軸
９０ｈ：突部
９０ｊ：揺動通路
９０ｋ：支持部
９０ｍ：支点
９０ｎ：通路出口
９０ｐ：通路口
９０ｑ：球抜き通路
９０ｒ：前方空間
９１：上部ユニット
９２：上部通路ユニット
９２ａ：球通路
９２ｂ：球出口
９２ｄ：着脱レバー
９２ｆ：球入口
９３：下部通路ユニット
９３ａ：球入口
９３ｂ：電波センサ
９３ｃ：排出球受入口
９３ｄ：排出口
９４：下部ユニット
９４ａ：球入口
９４ｂ：支軸部
９５ａ：駆動モータ
９５ｅ：スプロケット
９５ｋ：通過センサ
１２１：払出制御基板ケース
１４０：上球皿通路
１４１：通路出口
１７２：満杯通路
１７２ａ：通路出口
３２０：孔
３２１：周囲壁
３２２：区画壁
【図１】
2013176454.tif 000003
【図２】
2013176454.tif 000004
【図３】
2013176454.tif 000005
【図４】
2013176454.tif 000006
【図５】
2013176454.tif 000007
【図６】
2013176454.tif 000008
【図７】
2013176454.tif 000009
【図８】
2013176454.tif 000010
【図９】
2013176454.tif 000011
【図１０】
2013176454.tif 000012
【図１１】
2013176454.tif 000013
【図１２】
2013176454.tif 000014
【図１３】
2013176454.tif 000015
【図１４】
2013176454.tif 000016
【図１５】
2013176454.tif 000017
【図１６】
2013176454.tif 000018
【図１７】
2013176454.tif 000019
【図１８】
2013176454.tif 000020
【図１９】
2013176454.tif 000021
【図２０】
2013176454.tif 000022
【図２１】
2013176454.tif 000023
【図２２】
2013176454.tif 000024
【図２３】
2013176454.tif 000025
【図２４】
2013176454.tif 000026
【図２５】
2013176454.tif 000027
【図２６】
2013176454.tif 000028